【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
ユーザーがマニュアル操作によって入力したデータを後記データ処理手段に送信する入力手段と；
無線信号を受信してデジタル信号に変換の上、後記データ処理手段に送信するとともに、後記データ処理手段から受信したデジタル信号を無線信号に変換して送信する無線通信手段と；
後記データ処理手段を動作させるプログラムと後記データ処理手段で処理可能なデータファイルとを格納する記憶手段と；
前記入力手段から送信されたデータ及び前記記憶手段に格納されたプログラムに基づき、前記無線通信手段から受信したデジタル信号及び／又は前記記憶手段から読み出したデータに必要な処理を行って、デジタル表示信号を生成して送信するデータ処理手段と；
画面を構成する各々の画素が駆動されることにより画像を表示するディスプレイパネルＡと、前記データ処理手段から受信したデジタル表示信号に基づき前記ディスプレイパネルＡの各々の画素を駆動するディスプレイ制御手段Ａとから構成されるディスプレイ手段と；
を備え、
前記無線通信手段と前記データ処理手段とが相俟って、インターネットに接続したウェブ
サーバからマークアップ文書ファイルを取得する機能を実現するとともに、
前記データ処理手段は、前記マークアップ文書ファイルを処理して、ページ画像のデジタル表示信号を生成する機能を有する、
携帯情報通信装置であって、
前記データ処理手段は、生成したデジタル表示信号を前記ディスプレイ制御手段Ａと後記インターフェース手段Ａ１のいずれにも送信できる機能を有し、
「外部ディスプレイ手段を備えるか、又は、外部ディスプレイ手段を接続する周辺装置」が接続され、該周辺装置に対して、前記データ処理手段から受信したデジタル表示信号に基づき、外部表示信号を送信するインターフェース手段Ａ１と；
前記デジタル表示信号の送信先として、前記ディスプレイ制御手段Ａと前記インターフェース手段Ａ１の少なくともいずれか一方を選択して指定する送信先指定手段と；
を備えた上で、
前記データ処理手段は、「前記送信先指定手段が前記デジタル表示信号の送信先として前記インターフェース手段Ａ１を指定しているか否か」に応じて、レイアウトが異なるページ画像のデジタル表示信号を生成する機能を有する、
ことを特徴とする携帯情報通信装置。
【請求項２】
前記送信先指定手段は、「前記インターフェース手段Ａ１に『外部ディスプレイ手段を備えるか、又は、外部ディスプレイ手段を接続する周辺装置』が接続されているか否か」を検知し、該検知結果に基づいて、前記デジタル表示信号の送信先を選択することを特徴とする、請求項１に記載の携帯情報通信装置。
【請求項３】
前記データ処理手段は、前記マークアップ文書ファイルを処理して、
水平画素数が前記ディスプレイパネルＡの画面水平解像度と同じであるページ画像（以下、同幅ページ画像と略記する）のデジタル表示信号と；
水平画素数がディスプレイパネルＡの画面水平解像度より大きいページ画像（以下、幅広ページ画像と略記する）のデジタル表示信号と；
を生成する機能を有することを特徴とする、請求項１又は２に記載の携帯情報通信装置。
【請求項４】
前記データ処理手段は、特に、前記マークアップ文書ファイルがリキッドレイアウトを採用している場合に、該マークアップ文書ファイルを処理して、
前記ディスプレイパネルＡの画面水平解像度に対応して改行する同幅ページ画像のデジタル表示信号と；
前記ディスプレイパネルＡの画面水平解像度よりも大きい水平画素数で改行する幅広ページ画像のデジタル表示信号と；
との双方を生成する機能と、
を生成する機能を有することを特徴とする、請求項３に記載の携帯情報通信装置。
【請求項５】
前記幅広ページ画像の水平画素数があらかじめ固定されていることを特徴とする、請求項３又は４に記載の携帯情報通信装置。
【請求項６】
前記幅広ページ画像の水平画素数を指定する水平画素数指定手段を備えたことを特徴とする、請求項４に記載の携帯情報通信装置。
【請求項７】
前記水平画素数指定手段は、前記インターフェース手段Ａ１に接続されている「外部ディスプレイ手段を備えるか、又は、外部ディスプレイ手段を接続する周辺装置」における外部ディスプレイ手段の画面解像度情報を入手し、前記幅広ページ画像の水平画素数として、該画面水平解像度を指定する機能を有することを特徴とする、請求項６に記載の携帯情報通信装置。
【請求項８】
外部入力手段を含む周辺装置、及び／又は、外部入力手段が接続される周辺装置を接続し、該周辺装置における外部入力手段で入力されたデータ（以下、外部入力データと略記する）を受信し、必要であれば変換を行った上で、前記データ処理手段に送信するインターフェース手段Ａ２を備え、前記データ処理手段は、該インターフェース手段Ａ２から受信したデータを処理する機能を有することを特徴とする、請求項１乃至７のいずれか一項に記載の携帯情報通信装置。
【請求項９】
外部記憶手段を含む周辺装置、及び／又は、外部記憶手段が接続される周辺装置を接続し、該周辺装置における外部記憶手段との間でデータを授受するインターフェース手段Ａ３を備え、前記データ処理手段は、該外部記憶装置にアクセスしてデータを書き込む機能及び／又はデータを読み出す機能を有することを特徴とする、請求項１乃至１０のいずれか一項に記載の携帯情報通信装置。
【請求項１０】
請求項１乃至９のいずれか一項に記載の携帯情報通信装置と、
該携帯情報通信装置のインターフェース手段Ａ１と接続され、該インターフェース手段Ａ１から外部表示信号を受信するインターフェース手段Ｂ１と、
外部ディスプレイ装置とのインターフェース手段Ｃ１と、
を備えた接続ユニットと、
から構成されることを特徴とするパーソナルコンピュータシステム。
【請求項１１】
請求項８又は９に記載の携帯情報通信装置と、
該携帯情報通信装置のインターフェース手段Ａ１と接続され、該インターフェース手段Ａ１から外部表示信号を受信するインターフェース手段Ｂ１と、
該携帯情報通信装置のインターフェース手段Ａ２と接続され、該インターフェース手段Ａ２に外部入力データを送信するインターフェース手段Ｂ２と、
外部ディスプレイ装置とのインターフェース手段Ｃ１と、
外部入力装置とのインターフェース手段Ｃ２と、
を備えた接続ユニットと、
から構成されることを特徴とするパーソナルコンピュータシステム。
【請求項１２】
請求項９に記載の携帯情報通信装置と、
後記インターフェース手段Ｂ３経由でデータの書き込み及び／又は読み出しが行われる外部記憶手段Ｂと、
該携帯情報通信装置のインターフェース手段Ａ１と接続され、該インターフェース手段Ａ１から外部表示信号を受信するインターフェース手段Ｂ１と、
該携帯情報通信装置のインターフェース手段Ａ２と接続され、該インターフェース手段Ａ２に外部入力データを送信するインターフェース手段Ｂ２と、
該携帯情報通信装置のインターフェース手段Ａ３と接続され、前記外部記憶手段Ｂとの間でデータを授受するインターフェース手段Ｂ３と、
外部ディスプレイ装置とのインターフェース手段Ｃ１と、
外部入力装置とのインターフェース手段Ｃ２と、
を備えた接続ユニットと、
から構成されることを特徴とするパーソナルコンピュータシステム。
【手続補正２】
【補正対象書類名】明細書
【補正対象項目名】発明の名称
【補正方法】変更
【補正の内容】
【発明の名称】携帯情報通信装置、及び、携帯情報通信装置を使用したパーソナルコンピュータシステム